(57)【要約】【課題】軸部材の透孔内部にハーネスを通して配線可能で適切な範囲の動作制限を行える回転規制機能を有し、構成が簡素で廉価な回転規制機能付２軸ヒンジ装置を提供する。【解決手段】一の筐体を回動可能に支受する開閉軸部５と、他の筐体を回動可能に支受する回転軸部２０とを交差する方向にし、基本フレーム１に回動自由に支受し開閉軸部５の端部に設けた回転動作範囲制限用の頭部３３の外周側面部分を凹ませて回動許容部３３Ａを形成し、回転軸部２０端部に回転動作範囲制限用の頭部３３に臨むよう配置される回転動作範囲制限用の変形頭部３４を設け、回動許容部３３Ａの外周側面部分を端面に当接させて開閉軸部５の回転を制止すると共に回転動作範囲制限用の頭部３３の端面に外周側面部分が当接したときに回転軸部２０の回転が制止されるよう変形頭部３４に制限構造部３４Ａを形成し回転軸部２０の回動を開閉軸部５の開閉角度に対応して制限する。【選択図】図１
2007177829.tif 000002
【特許請求の範囲】
【請求項１】
一方の筐体を回動可能に支受するための開閉軸部と、
他方の筐体を回動可能に支受するための回転軸部と、
前記開閉軸部と前記回転軸部とを交差する方向にして、それぞれ回動自由に支受する基本フレームと、
前記開閉軸部の端部に配置された回転動作範囲制限用の頭部と、
前記回転動作範囲制限用の頭部の外周側面部分を所定形状に凹ませて形成された回動許容部と、
前記回転軸部の端部に、前記回転動作範囲制限用の頭部に臨むように配置される回転動作範囲制限用の変形頭部と、
前記回転動作範囲制限用の頭部の前記回動許容部外周側面部分を端面に当接させて前記開閉軸部の回転を制止すると共に前記回転動作範囲制限用の頭部の端面に外周側面部分が当接したときに前記回転軸部の回転が制止されるように、前記回転動作範囲制限用の変形頭部に形成された制限構造部と、
を有することを特徴とする回転規制機能付２軸ヒンジ装置。
【請求項２】
両端部を同方向に折曲したアングル部材に形成した基本フレームと、
前記基本フレームの両端の折曲部にそれぞれ穿設した開閉軸用の軸孔と、
前記基本フレームの一方の前記開閉軸用の軸孔に、一方の筐体を回動可能に支受するよう取り付けられた開閉軸部と、
前記基本フレームの他方の前記開閉軸用の軸孔に、前記一方の筐体を前記開閉軸部と相俟って回動可能に支受するよう取り付けられた、ハーネスを通す透孔を有する補助開閉軸部材と、
前記基本フレームにおける両端の折曲部の間位置に穿孔された回転軸用軸孔と、
前記基本フレームの前記回転軸用軸孔に、前記開閉軸部と交差する回転軸を中心に他方の筐体を回動可能に支受するよう取り付けられた、ハーネスを通す透孔を有する回転軸部と、
前記開閉軸部の端部に配置された回転動作範囲制限用の頭部と、
前記回転動作範囲制限用の頭部の外周側面部分を所定形状に凹ませて形成された回動許容部と、
前記回転軸部の端部に、前記回転動作範囲制限用の頭部に臨むように配置される回転動作範囲制限用の変形頭部と、
前記回転動作範囲制限用の頭部の前記回動許容部外周側面部分を端面に当接させて前記開閉軸部の回転を制止すると共に前記回転動作範囲制限用の頭部の端面に外周側面部分が当接したときに前記回転軸部の回転が制止されるように、前記回転動作範囲制限用の変形頭部に形成された制限構造部と、
を有することを特徴とする回転規制機能付２軸ヒンジ装置。
【請求項３】
前記回転動作範囲制限用の変形頭部の制限構造部に当接して前記回転軸部の回転範囲を制限するよう、前記基本フレームに回転ストッパを装着したことを特徴とする請求項１又は請求項２に記載の回転規制機能付２軸ヒンジ装置。
【請求項４】
前記開閉軸部の前記回転動作範囲制限用の頭部の部分を中実の構造として強度を高めたことを特徴とする請求項１乃至請求項３の何れか１項に記載の回転規制機能付２軸ヒンジ装置。
【請求項５】
前記基本フレームにおける前記開閉軸部を支受する前記開閉軸用の軸孔を設けた方の前記アングル部の内側に添うように、前記開閉軸部を支受する部分にブロック状の補強構造部を一体に形成した開閉軸ホルダを、前記基本フレームに締結して構成したことを特徴とする請求項２に記載の回転規制機能付２軸ヒンジ装置。
【発明の詳細な説明】
【技術分野】
【０００１】
この発明は、携帯電話、ノート型パソコン、電子手帳、ＤＶＤモニター、リモコン等の小型電子機器の折り畳み及び回転機構部に使用される、交差する２軸の回りに各々所定範囲内で回動可能に構成した回転規制機能付２軸ヒンジ装置に関する。
【背景技術】
【０００２】
一般に、２つ折り型の携帯電話には、キーボードが設置された第１筐体と画像を写す液晶モニター（ＬＣＤ）が組み込まれた第２筐体との間を、開閉軸と回転軸とを有する２軸ヒンジ装置で結合することにより、キーボード付き第１筐体に対して液晶モニター付き第２筐体を開閉軸の回りに回転して開け閉めする操作と、液晶モニター付き第２筐体を例えば９０度開いた状態で、液晶モニター付き第２筐体を回転軸の回りに表裏を返す如く回転させる動作を行うように構成したものがある。
【０００３】
このように用いられる従来の２軸ヒンジ装置には、中実（透孔が無い構造）の回転軸の回転動作が中実の開閉軸の開閉角度により規制を受ける回転規制機構を設置することにより、開閉軸の回転（傾斜）角度により回転軸の回転可能領域を制限して、例えば携帯端末機器における回転軸のブラケットにモニター用液晶画面を配置し、開閉軸のブラケットにキー操作盤を設置し、ある最適な特定の位置（例えば９０°モニターを開いた位置）でモニターを回転して見る動作が可能にする。さらに携帯端末機器に設けた回転規制機構では、機器のキー操作盤とモニターが、モニターの回転により衝突して不具合を発生することを防止するものが提案されている（例えば、特許文献１参照。）。
【０００４】
また、従来の２軸ヒンジ装置には、回転軸を空芯にしたパイプ状軸で構成し、この回転軸の中空内部にハーネス（細電線）を通すことにより、配線を容易にして機能を高めると共に、小型軽量化を図るものが提案されている（例えば、特許文献２参照。）。
【０００５】
このような従来の２軸ヒンジ装置では、回転軸の中空内部にハーネスを通して配線を容易にする機能をもたせるため回転軸を中空のパイプ状に形成すると、回転規制機構で十分な動作制限を行うためには大きくなってしまう。このため２軸ヒンジ装置では、中空の回転軸に回転規制機構を一体的に構成し、小型化することが困難であった。さらに、２軸ヒンジ装置では、回転規制機構を設けた回転軸の中空内部にハーネスを通すように配線すると、このハーネスが回転規制機構を構成する部材の間に挟まれて断線することがあるという問題がある。
【特許文献１】特開２００４−３６０７５８号公報
【特許文献２】特開２００５−１７２１３３号公報
【発明の開示】
【発明が解決しようとする課題】
【０００６】
本発明は、上述した点に鑑み、軸部材の透孔内部にハーネスを通して配線可能で、また適切な範囲の動作制限を行える回転規制機能を有し、構成が簡素で廉価な回転規制機能付２軸ヒンジ装置を新たに提供することを目的とする。
【課題を解決するための手段】
【０００７】
本発明の請求項１に記載の回転規制機能付２軸ヒンジ装置は、一方の筐体を回動可能に支受するための開閉軸部と、他方の筐体を回動可能に支受するための回転軸部と、開閉軸部と回転軸部とを交差する方向にして、それぞれ回動自由に支受する基本フレームと、開閉軸部の端部に配置された回転動作範囲制限用の頭部と、回転動作範囲制限用の頭部の外周側面部分を所定形状に凹ませて形成された回動許容部と、回転軸部の端部に、回転動作範囲制限用の頭部に臨むように配置される回転動作範囲制限用の変形頭部と、回転動作範囲制限用の頭部の回動許容部外周側面部分を端面に当接させて開閉軸部の回転を制止すると共に回転動作範囲制限用の頭部の端面に外周側面部分が当接したときに回転軸部の回転が制止されるように、回転動作範囲制限用の変形頭部に形成された制限構造部と、を有することを特徴とする。
【０００８】
上述のように構成することにより、開閉軸部に設けた回転動作範囲制限用の頭部における回動許容部が、回転軸部に設けた回転動作範囲制限用の変形頭部における制限構造部の端面に当接可能な状態で開閉軸部の回動動作を制限する。さらに、開閉軸部に設けた回転動作範囲制限用の頭部から、回転軸部に設けた回転動作範囲制限用の変形頭部における制限構造部が外れた状態で開閉軸部の回動動作を許容する。
【０００９】
また、開閉軸部に設けた回転動作範囲制限用の頭部における回動許容部が回転軸部に設けた回転動作範囲制限用の変形頭部における制限構造部の端面に当接可能な状態で、回転軸部の回動動作を許容する。さらに、開閉軸部に設けた回転動作範囲制限用の頭部から、回転軸部に設けた回転動作範囲制限用の変形頭部における制限構造部が外れ、かつ開閉軸部に設けた回転動作範囲制限用の頭部の端面が回転軸部に設けた回転動作範囲制限用の変形頭部の外周側面部分に当接可能な状態で、回転軸部の回動動作を制限する。
【００１０】
よって、この回転規制機能付２軸ヒンジ装置では、開閉軸部に設けた回転動作範囲制限用の頭部における回動許容部と、回転軸部に設けた回転動作範囲制限用の変形頭部における制限構造部との形状を適宜設計することにより、回転軸部の回転動作が、開閉軸部の開閉角度に対応して制限を受けるようにして、この回転規制機能付２軸ヒンジ装置を装着した一方の筐体と他方の筐体とを、交差する２軸の回りに各々所定範囲内で回動させ、この動作中に一方の筐体と他方の筐体とが衝突することを防止し傷が付かないようにできる。
【００１１】
本発明の請求項２に記載の回転規制機能付２軸ヒンジ装置は、両端部を同方向に折曲したアングル部材に形成した基本フレームと、基本フレームの両端の折曲部にそれぞれ穿設した開閉軸用の軸孔と、基本フレームの一方の開閉軸用の軸孔に、一方の筐体を回動可能に支受するよう取り付けられた開閉軸部と、基本フレームの他方の開閉軸用の軸孔に、一方の筐体を開閉軸部と相俟って回動可能に支受するよう取り付けられた、ハーネスを通す透孔を有する補助開閉軸部材と、基本フレームにおける両端の折曲部の間位置に穿孔された回転軸用軸孔と、基本フレームの回転軸用軸孔に、開閉軸部と交差する回転軸を中心に他方の筐体を回動可能に支受するよう取り付けられた、ハーネスを通す透孔を有する回転軸部と、開閉軸部の端部に配置された回転動作範囲制限用の頭部と、回転動作範囲制限用の頭部の外周側面部分を所定形状に凹ませて形成された回動許容部と、回転軸部の端部に、回転動作範囲制限用の頭部に臨むように配置される回転動作範囲制限用の変形頭部と、回転動作範囲制限用の頭部の回動許容部外周側面部分を端面に当接させて開閉軸部の回転を制止すると共に回転動作範囲制限用の頭部の端面に外周側面部分が当接したときに回転軸部の回転が制止されるように、回転動作範囲制限用の変形頭部に形成された制限構造部と、を有することを特徴とする。
【００１２】
上述のように構成することにより、開閉軸部に設けた回転動作範囲制限用の頭部における回動許容部が、回転軸部に設けた回転動作範囲制限用の変形頭部における制限構造部の端面に当接可能な状態で開閉軸部の回動動作を制限する。さらに、開閉軸部に設けた回転動作範囲制限用の頭部から、回転軸部に設けた回転動作範囲制限用の変形頭部における制限構造部が外れた状態で開閉軸部の回動動作を許容する。
【００１３】
また、開閉軸部に設けた回転動作範囲制限用の頭部における回動許容部が回転軸部に設けた回転動作範囲制限用の変形頭部における制限構造部の端面に当接可能な状態で、回転軸部の回動動作を許容する。さらに、開閉軸部に設けた回転動作範囲制限用の頭部から、回転軸部に設けた回転動作範囲制限用の変形頭部における制限構造部が外れ、かつ開閉軸部に設けた回転動作範囲制限用の頭部の端面が回転軸部に設けた回転動作範囲制限用の変形頭部の外周側面部分に当接可能な状態で、回転軸部の回動動作を制限する。
【００１４】
よって、この回転規制機能付２軸ヒンジ装置では、開閉軸部に設けた回転動作範囲制限用の頭部における回動許容部と、回転軸部に設けた回転動作範囲制限用の変形頭部における制限構造部との形状を適宜設計することにより、回転軸部の回転動作が、開閉軸部の開閉角度に対応して制限を受けるようにして、この回転規制機能付２軸ヒンジ装置を装着した一方の筐体と他方の筐体とを、交差する２軸の回りに各々所定範囲内で回動させ、この動作中に一方の筐体と他方の筐体とが衝突することを防止し傷が付かないようにできる。
【００１５】
また、このように構成した回転規制機能付２軸ヒンジ装置では、回転軸部の透孔にハーネスを通してから、補助開閉軸部材の透孔にハーネスを通すことにより、一方の筐体と他方の筐体との間をこの回転規制機能付２軸ヒンジ装置の内部を通すようにしてハーネスを引き回す配線が可能となる。しかも、この回転規制機能付２軸ヒンジ装置では、回転軸部の透孔の周囲に対して、補助開閉軸部材が開閉軸部の回転動作範囲制限用の頭部と反対の方向に離間した状態で配置されるので、補助開閉軸部材から出て折れ曲がって回転軸部の透孔に入るハーネスの部分が、回転動作範囲制限用の頭部と変形頭部との相互に接触して動作を制限する部分から可能な限り離すことができるので、ハーネスが回転動作範囲制限用の頭部３３と変形頭部３４との間に挟まれて損傷を受けたり、断線することを防止できる。
【００１６】
請求項３に記載した発明は、請求項１又は請求項２に記載の回転規制機能付２軸ヒンジ装置において、回転動作範囲制限用の変形頭部の制限構造部に当接して回転軸部の回転範囲を制限するよう、基本フレームに回転ストッパを装着したことを特徴とする。
【００１７】
上述のように構成することにより、請求項１又は請求項２に記載の発明の作用、効果に加えて、回転ストッパが回転軸部の回転動作範囲制限用の変形頭部の制限構造部に当接して回転軸部の回転範囲を制限し、さらに開閉軸部の回転動作範囲制限用の頭部が回転軸部の回転動作範囲制限用の変形頭部の制限構造部の一部に当接して一方向へ回動することを制止すると共に回転ストッパが回転軸部の回転動作範囲制限用の変形頭部の制限構造部の一部に当接して他方向へ回動することを制止することにより、回転軸部を左右のいずれの方向へも回転不能に静止させることができる。
【００１８】
請求項４に記載した発明は、請求項１乃至請求項３の何れか１項に記載の回転規制機能付２軸ヒンジ装置において、開閉軸部の回転動作範囲制限用の頭部の部分を中実の構造として強度を高めたことを特徴とする。
【００１９】
上述のように構成することにより、請求項１乃至請求項３の何れか１項に記載の発明の作用、効果に加えて、回転ストッパが回転軸部の回転動作範囲制限用の変形頭部の制限構造部に当接して回転軸部の回転範囲を制限し、さらに開閉軸部の回転動作範囲制限用の頭部が回転軸部の回転動作範囲制限用の変形頭部の制限構造部の一部に当接して一方向へ回動することを制止すると共に回転ストッパが回転軸部の回転動作範囲制限用の変形頭部の制限構造部の一部に当接して他方向へ回動することを制止することにより、回転軸部を左右のいずれの方向へも回転不能に静止させることができる。
【００２０】
請求項５に記載した発明は、請求項２に記載の回転規制機能付２軸ヒンジ装置において、基本フレームにおける開閉軸部を支受する開閉軸用の軸孔を設けた方のアングル部の内側に添うように、開閉軸部を支受する部分にブロック状の補強構造部を一体に形成した開閉軸ホルダを、基本フレームに締結して構成したことを特徴とする。
【００２１】
上述のように構成することにより、開閉軸部に設けた回転動作範囲制限用の頭部における回動許容部が、回転軸部に設けた回転動作範囲制限用の変形頭部における制限構造部の端面に当接可能な状態で開閉軸部の回動動作を制限している状態で開閉軸部に大きな回転負荷が加わったとき、基本フレームの開閉軸用の軸孔と開閉軸ホルダとを押すように働く強い反力を、基本フレームにおける開閉軸部を支受する開閉軸用の軸孔を設けた方のアングル部と開閉軸ホルダとによって分担して支受するので、基本フレームの平板部分から折曲して連なる開閉軸用の軸孔を設けた部分に至る折曲部が開くように変形することを防止できる。
【発明の効果】
【００２２】
本発明の回転規制機能付２軸ヒンジ装置によれば、ヒンジを構成する軸部材の透孔内部にハーネスを通して配線でき、また回転規制機能によって適切な範囲の動作制限を行える、構成が簡素で廉価な回転規制機能付２軸ヒンジ装置を得られるという効果がある。
【発明を実施するための最良の形態】
【００２３】
以下、本発明の回転規制機能付２軸ヒンジ装置に係わる実施の形態について、図１乃至図６を参照しながら説明する。
【００２４】
図１、図２は回転規制機能付２軸ヒンジ装置の全体斜視図、図６はその分解斜視図であり、図で１は、基本フレームである。この基本フレーム１には、互いに交差する方向に回転中心軸が配置されるように、開閉軸部と回転軸部とをそれぞれ装着して、図１乃至図５に示すような、回転規制機能付２軸ヒンジ装置を構成する。
【００２５】
図６に示すように、基本フレーム１は、略長方形の金属製部材の両端部を同方向に折曲して、全体が略逆Ｕ字状となるアングル部材に形成する。そして、折曲した両自由端部には、これらを直線状に貫通する開閉軸用の軸孔２、３を穿孔する。さらに、この基本フレーム１には、折曲された両自由端部間の中央部に、回転軸用の軸孔４を穿孔する。
【００２６】
この基本フレーム１の一方の折曲された自由端部に穿孔された開閉軸用の軸孔２には、開閉軸の回転系の一方を構成する動作規制用開閉軸部材５、ポリワッシャ６、開閉軸受け板７、開閉軸ホルダ８、回転カム部材９、固定カム部材１０、圧縮コイルばね１１、固定カム部材１２、回転カム部材１３、クリックプレート部材１４、開閉ユニットケース１５及びスタンド部材１６を装着する。
【００２７】
さらに基本フレーム１の他方の折曲された自由端部に穿孔された開閉軸用の軸孔３には、開閉軸の回転系の他方を構成する補助開閉軸部材１７、開閉軸リング１８及びスタンド部材１９を装着する。
【００２８】
この補助開閉軸部材１７は、図示しないハーネス（細電線）を通すための透孔を設けた筒状（パイプ状）に形成する。これと共に、回転軸部材２０は、図示しないハーネス（細電線）を通すための透孔を設けた筒状（パイプ状）に形成する。
【００２９】
また、基本フレーム１の折曲された両自由端部間の中央部に穿孔された回転軸用の軸孔４には、回転軸の回転系を構成する回転軸部材２０、固定カム部材２１、３枚の皿ばね２２、２３、２４、回転スペーサ２５、ポリワッシャ２６、回転リング２７、ポリワッシャ２８及びブラケット２９を装着する。
【００３０】
また、基本フレーム１の回転軸用の軸孔４の表面周囲には、固定カム部材２１に対応して角１８０度おいた対称位置にカム面を形成し、固定カム部材２１が角１８０度回転したときに相互のカム面の凹凸が嵌まって仮留めするように制止するクリック動作を行うよう構成する。
【００３１】
この基本フレーム１の折曲された両自由端部間の平板部には、回転軸部材２０の回転範囲を制限するための回転ストッパ３０をビス３１で締結して配置する。
【００３２】
この回転規制機能付２軸ヒンジ装置に用いる動作規制用開閉軸部材５には、軸棒の一方の端部に回転動作範囲制限用の頭部３３を一体的に設ける。この回転動作範囲制限用の頭部３３には、動作規制用開閉軸部材５の軸棒と同芯に形成した円板における外周部分を所定形状に凹ませるように切欠した回動許容部３３Ａを設ける。
【００３３】
この回転動作範囲制限用の頭部３３は、中実構造（透孔が無い構造）とすることにより、小型部品であっても強度を高めて、回転軸部材２０の動作規制を行うのに必要十分な強度を確保できるように構成する。
【００３４】
さらに動作規制用開閉軸部材５には、回転動作範囲制限用の頭部３３近くから自由端部にかけての部分を図６に示すように、図に向かって左から、断面円形の対向する円弧部がカットされた小判形状（円以外の長径と短径を有する断面形状）を成すスプライン機能形状部５Ａに形成し、その自由端部に断面矩形の嵌合部５Ｂを形成する。
【００３５】
このように形成した動作規制用開閉軸部材５には、その回転動作範囲制限用の頭部３３近傍の丸軸部分にポリワッシャ６、開閉軸受け板７及び開閉軸ホルダ８をはめる。そして、ポリワッシャ６、開閉軸受け板７及び開閉軸ホルダ８をはめた動作規制用開閉軸部材５は、基本フレーム１の開閉軸用の軸孔２へ挿通され、開閉軸ホルダ８を基本フレーム１にビス３２で締結することによって、基本フレーム１の開閉軸用の軸孔２部分に対して回動自由に組み付けられる。
【００３６】
この開閉軸ホルダ８は、基本フレーム１の平板部分から折曲して連なる開閉軸用の軸孔２を設けた自由端部に至るアングル部分（直角に折曲した部分）を補強する補強部材を兼ねる構造とする。
【００３７】
図１乃至図３及び図６に示すように、この開閉軸ホルダ８は、補強部材を兼ねる構造とするため、動作規制用開閉軸部材５を軸挿するリング状の部分に矩形ブロック状の補強構造部８Ａを一体に形成する。
【００３８】
この補強構造部８Ａには、基本フレーム１における開閉軸用の軸孔２側の直角に折曲した部分の内側面に隙間無く沿うように直角に折曲させた対接面部を形成する。
【００３９】
さらに、この開閉軸ホルダ８では、補強構造部８Ａにおける直角に折曲させた対接面部の自由端部から、動作規制用開閉軸部材５を軸挿するリング状の部分の端面が平面的に連続するように形成する。
【００４０】
このように構成した開閉軸ホルダ８は、基本フレーム１にビス３２で締結した状態で、開閉軸ホルダ８における直角に折曲させた対接面部からリング状の部分の端面にかけての直角に折曲している外側面が、基本フレーム１における開閉軸用の軸孔２側の直角に折曲した部分の内側面に隙間無く沿う補強構造を構成する。
【００４１】
このように開閉軸ホルダ８の補強構造部８Ａで補強された基本フレーム１では、例えば図１に示す状態で動作規制用開閉軸部材５に大きな回転負荷が加わったとき、動作規制用開閉軸部材５の先端にある回転動作範囲制限用の頭部３３が回動しようとするのを回転動作範囲制限用の頭部３３の回動許容部３３Ａが変形頭部３４の制限構造部３４Ａの端面に当たって制止する際に、基本フレーム１の開閉軸用の軸孔２と開閉軸ホルダ８とを自由端外側に向けて押し出す方向の強い反力が働く。
【００４２】
この強い反力は、基本フレーム１の平板部分から折曲して連なる開閉軸用の軸孔２を設けた自由端部に至るアングル部分と、基本フレーム１の平板部分にビス３２で締結された開閉軸ホルダ８とによって分担して支受される。
【００４３】
よって、この開閉軸ホルダ８の補強構造部８Ａで補強された基本フレーム１では、基本フレーム１の開閉軸用の軸孔２と開閉軸ホルダ８とを自由端外側に向けて押し出す方向の強い反力が働いても、基本フレーム１の平板部分から折曲して連なる開閉軸用の軸孔２を設けた自由端部に至る直角に折曲した部分の内角が開くように変形することを防止できる。
【００４４】
なお、この開閉軸ホルダ８による補強構造を設けず、基本フレーム１だけで動作規制用開閉軸部材５を支受する構造では、例えば図１に示す状態で動作規制用開閉軸部材５に大きな回転負荷が加わり、回転動作範囲制限用の頭部３３の回動許容部３３Ａが変形頭部３４の制限構造部３４Ａの端面に当たって制止する際の強い反力が働いたときに、基本フレーム１の平板部分から折曲して連なる開閉軸用の軸孔２を設けた自由端部に至る直角に折曲した部分の内角が開くように変形してしまうことがあった。しかし、この開閉軸ホルダ８の補強構造部８Ａで補強された基本フレーム１では、このような変形を防止することができた。
【００４５】
図６に示すように、動作規制用開閉軸部材５のスプライン機能形状部５Ａには、回転カム部材９、固定カム部材１０、圧縮コイルばね１１、固定カム部材１２、回転カム部材１３、クリックプレート部材１４及び開閉ユニットケース１５を取り付ける。
【００４６】
さらに、各回転カム部材９、１３は、それぞれ開閉ユニットケース１５と一体に取り付けられる。各固定カム部材１０、１２と、クリックプレート部材１４とは、それぞれ動作規制用開閉軸部材５と一体に回動するよう取り付けられる。開閉ユニットケース１５は、基本フレーム１に一体的に取り付けられる。
【００４７】
さらに、動作規制用開閉軸部材５の嵌合部５Ｂには、スタンド部材１６を取り付ける。このスタンド部材１６には、図示しない第１筐体（キーボードを配置した筐体）を締結する。
【００４８】
これにより、回転カム部材９、固定カム部材１０、圧縮コイルばね１１、固定カム部材１２及び回転カム部材１３とでトルク発生カム機構が構成される。このトルク発生カム機構では、スタンド部材１６が所定位置まで回動操作されたときに、圧縮コイルばね１１の付勢力を受けてカム面の斜面で起こる摺接動作により発生した回転トルクによって、動作規制用開閉軸部材５と一体に回動するスタンド部材１６側の部材を自動的に回動させる所定の動作を行う。
【００４９】
さらに、開閉軸用の軸孔２の周囲と回転カム部材９との間及び回転カム部材１３とクリックプレート部材１４との間には、相互に嵌合離脱可能な凹凸構造によって、動作規制用開閉軸部材５と一体に回動するスタンド部材１６側の部材が、所定の角度位置まで回転したときに相互の凹凸構造が嵌まって仮留めするように制止するクリック動作を行うストッパ機構を構成する。
【００５０】
すなわち、この回転規制機能付２軸ヒンジ装置では、動作規制用開閉軸部材５側の部材を手動で所定位置まで回動操作することにより前述したトルク発生カム機構が作動して動作規制用開閉軸部材５を回動動作したときに動作規制用開閉軸部材５が所定角度位置に至った状態でストッパ機構が制止する操作をして所定の開状態にセットするセミオートオープン機構が構成される。
【００５１】
この回転規制機能付２軸ヒンジ装置では、補助開閉軸部材１７を、基本フレーム１の開閉軸用の軸孔３部分に開閉軸リング１８を介して回動自由に支受されるように取り付け、補助開閉軸部材１７の自由端部にスタンド部材１９の開口を嵌め、カシメて固着する。
【００５２】
このスタンド部材１９には、図示しない第１筐体（キーボードを配置した筐体）を締結する。
【００５３】
この回転規制機能付２軸ヒンジ装置に用いる回転軸部材２０には、軸部材の一方の端部に回転動作範囲制限用の変形頭部３４を一体的に設ける。この変形頭部３４には、回転軸部材２０の回転軸と同芯の円弧部分と、この回転軸の同芯円から一部を延出した所定形状の制限構造部３４Ａとを設ける。
【００５４】
このように構成した回転軸部材２０は、変形頭部３４と反対側の端部から基本フレーム１の回転軸用の軸孔４に軸挿する。このとき、回転軸部材２０は、その変形頭部３４の周囲に隣接して配置された回転ストッパ３０によって、制限構造部３４Ａが回転ストッパ３０に当接しない範囲内で回動自由となるように動作が制限される。
【００５５】
この回転軸部材２０には、断面円形の対向する円弧部がカットされた小判形状（円以外の長径と短径を有する断面形状）を成すスプライン機能形状部２０Ａを形成し、このスプライン機能形状部２０Ａに固定カム部材２１を回動不能で回転軸方向に移動可能に挿通し、さらに皿ばね２２、２３、２４、回転スペーサ２５、ポリワッシャ２６、回転リング２７及びポリワッシャ２８を挿通する。
【００５６】
また、回転軸部材２０は、その変形頭部３４と反対側の端部外周面の一部を切欠し、この部分にブラケット２９の嵌合穴を嵌め、カシメて固着する。
【００５７】
このブラケット２９には、図示しない第２筐体（ＬＣＤモニターを配置した筐体）を締結する。
【００５８】
この図１乃至図５に示すように構成された回転規制機能付２軸ヒンジ装置では、直交する方向に隣接して配置された、動作規制用開閉軸部材５の回転動作範囲制限用の頭部３３と、回転軸部材２０の変形頭部３４との一部によって、適切な範囲内で動作するよう制限を行う。これと共に、この回転規制機能付２軸ヒンジ装置では、回転軸部材２０を回転ストッパ３０によって適切な範囲内で回動するよう制限を行う。
【００５９】
さらに、この回転規制機能付２軸ヒンジ装置では、スタンド部材１６側に締結する第１筐体（キーボードを配置した筐体）の外形形状とブラケット２９側に締結する第２筐体（ＬＣＤモニターを配置した筐体）の外形形状とを回転規制機能付２軸ヒンジ装置で結合した状態で、これら第１筐体と第２筐体とが衝突しない範囲内で相互に開閉動作と回転動作とを行うように、回転動作範囲制限用の頭部３３に設ける回動許容部３３Ａの形状と変形頭部３４に設ける制限構造部３４Ａの形状を設計する。
【００６０】
すなわち、上述のように構成した回転規制機能付２軸ヒンジ装置では、回転軸部材２０の回転動作が、動作規制用開閉軸部材５の開閉角度によって所要の規制を受けるようにして、第１筐体と第２筐体とが衝突しないように設定する。特に、この回転規制機能付２軸ヒンジ装置を２つ折り型の携帯電話に装着する場合には、第１筐体と第２筐体とが２つ折りに畳まれた状態で、第１筐体と第２筐体とが回転軸部材２０の回りに相対的に回転しないように変形頭部３４の制限構造部３４Ａの形状を設計することにより、２つ折りに畳まれた状態で第１筐体と第２筐体とが衝突することを防止する。
【００６１】
このように構成した回転規制機能付２軸ヒンジ装置では、開閉軸である動作規制用開閉軸部材５の各回転（傾斜）角度位置に対応して、回転軸である回転軸部材２０の回転可能領域を制限することで、例えば回転軸部材２０のブラケット２９にモニター用液晶画面を設けた第２筐体を装着し、開閉軸である動作規制用開閉軸部材５及び補助開閉軸部材１７側にキー操作盤を設置した第１筐体を装着して携帯端末機器を構成した場合に、ある最適な特定の位置（例えば角９０度モニター側の第２筐体を開いた位置）でモニターのある第２筐体を回転して見る動作が可能となり、さらにキー操作盤を持つ第１筐体に対してモニターを設けた第２筐体を回転操作したときに衝突して不具合を発生することを防止することができる。
【００６２】
例えば図１及び図５に示すように本実施の形態の回転規制機能付２軸ヒンジ装置では、第２筐体を第１筐体に対して角９０度開いた位置で、第１筐体と一体の回動する動作規制用開閉軸部材５の回転動作範囲制限用の頭部３３における切欠して形成された回動許容部３３Ａの表面が、回転軸部材２０の変形頭部３４における端面に離間して位置する場合に、変形頭部３４が回動自由な状態となる。
【００６３】
よって、この図１に示す状態では、第２筐体を任意の位置まで回動操作することができる。また、この図１に示す状態では、回転軸部材２０の変形頭部３４からラジアル方向に延出した制限構造部３４Ａの一部が回動許容部３３Ａに対向する位置にあるので、回転動作範囲制限用の頭部３３が回動しようとすると回動許容部３３Ａが制限構造部３４Ａの端面に当接して回動動作を制止することになる。
【００６４】
また、例えば図２乃至図４に示すように本実施の形態の回転規制機能付２軸ヒンジ装置では、第２筐体のモニター側の側面と第１筐体のキーボード側の側面とが対向した２つ折りに開閉可能な状態において、モニターを持つ第２筐体と一体に回動する回転軸部材２０の制限構造部３４Ａが、動作規制用開閉軸部材５の回転動作範囲制限用の頭部３３における端面に対向して位置する場合に、回転動作範囲制限用の頭部３３が回動自由な状態となる。
【００６５】
よって、この図２乃至図４に示す状態では、第２筐体を任意の位置まで開閉操作することができる。また、この図２乃至図４に示す状態では、回転動作範囲制限用の頭部３３の回動許容部３３Ａが制限構造部３４Ａから離れ、回転動作範囲制限用の頭部３３の切欠していない頭部端面が、制限構造部３４Ａの回動軌跡の範囲内に位置するため、変形頭部３４が回動しようとするとラジアル方向に延出した制限構造部３４Ａの一部が回転動作範囲制限用の頭部３３の切欠していない頭部端面に当接して回動動作を制止することになる。
【００６６】
さらに、図２に示すように、第２筐体と第１筐体とを２つ折りに閉じた状態では、制限構造部３４Ａの一部が上述したように回転動作範囲制限用の頭部３３の端面で回動動作を制限され、制限構造部３４Ａの他の一部が回転ストッパ３０に当接して回動動作を制限されるので、第１筐体に対して第２筐体が回転軸部材２０の回りに回動不能な状態となる。
【００６７】
このため、この回転規制機能付２軸ヒンジ装置では、２つ折りに閉じた状態において、モニター側の第２筐体が回動して第１筐体に衝突して傷つくことを防止できる。
【００６８】
また、この回転規制機能付２軸ヒンジ装置では、キーボードを配置した第１筐体とＬＣＤモニターを配置した第２筐体との間を結合するように装着した状態で、第１筐体の電子回路から引き出したハーネス（細電線）を、補助開閉軸部材１７の中空内部を通してから角９０度をなす方向に曲げて回転軸部材２０の中空内部を通すことにより、第２筐体の電子回路へ接続するよう引き回して配置する。
【００６９】
このように回転規制機能付２軸ヒンジ装置の内部を通してハーネスを引き回す場合には、ハーネスが基本フレーム１の軸孔３側に偏って回転軸部材２０の中空内部に入る状態となり、回転軸部材２０からフランジ状に突出した変形頭部３４の制限構造部３４Ａを形成した外周面寄りの位置で、回転動作範囲制限用の頭部３３の回動許容部３３Ａを形成した部分が当接する状態となる。
【００７０】
すなわち、この回転規制機能付２軸ヒンジ装置では、回転軸部材２０における、ハーネスが回転軸部材２０の中空内部に偏って入る位置に対して構造の制約がある中でハーネスから最も離間させることができる直径方向に反対側の位置において制限構造部３４Ａと回動許容部３３Ａとが当接することになるので、ハーネスが制限構造部３４Ａと回動許容部３３Ａと間に挟み込まれて損傷を受けたり切断されることを防止できる。
【００７１】
なお、本発明は、上述した実施の形態に限定されるものではなく、本発明の要旨を逸脱しない範囲で、その他種々の構成を取り得ることは勿論である。
【図面の簡単な説明】
【００７２】
【図１】本発明の実施の形態に係わる回転規制機能付２軸ヒンジ装置が、回転軸部材を回動自由とした状態の要部を示す斜視図である。
【図２】本発明の実施の形態に係わる回転規制機能付２軸ヒンジ装置が、動作規制用開閉軸部材を回動自由とした状態の要部を示す斜視図である。
【図３】本発明の実施の形態に係わる回転規制機能付２軸ヒンジ装置を示す全体平面図である。
【図４】本発明の実施の形態に係わる回転規制機能付２軸ヒンジ装置を示す全体正面図である。
【図５】本発明の実施の形態に係わる回転規制機能付２軸ヒンジ装置を示す全体側面図である。
【図６】本発明の実施の形態に係わる回転規制機能付２軸ヒンジ装置を示す分解斜視図である。
【符号の説明】
【００７３】
１    基本フレーム
２    開閉軸用の軸孔
３    開閉軸用の軸孔
４    回転軸用の軸孔
５    動作規制用開閉軸部材
８    開閉軸ホルダ
１７  補助開閉軸部材
１８  開閉軸リング
２０  回転軸部材
２０Ａスプライン機能形状部
３０  回転ストッパ
３３  回転動作範囲制限用の頭部
３３Ａ回動許容部
３４  変形頭部
３４Ａ制限構造部
【図１】
2007177829.tif 000003
【図２】
2007177829.tif 000004
【図３】
2007177829.tif 000005
【図４】
2007177829.tif 000006
【図５】
2007177829.tif 000007
【図６】
2007177829.tif 000008